(57)【要約】【課題】布線板を傾斜させて使用する際に布線治具からの電線の脱落を防ぐ。【解決手段】二本の保持棒８の間に電線を布線する布線治具１で、保持棒８を有する布線治具本体２の一方の保持棒に電線脱落防止用の補助部材３を延長させて着脱自在に設け、布線治具本体２を傾斜させて使用する際に下側となる一方の保持棒からの電線の脱落を防止した。内向きに湾曲又は傾斜状に屈曲した電線支持棒１３と、電線支持棒を保持棒８の先端側に固定する固定部１２とで補助部材３を構成した。固定部１２は、保持棒８に対する挿入孔を有する。電線支持棒１３は可撓性を有する。補助部材３を合成ゴムで形成した。布線治具１を布線板１０に立設し、布線板を水平に使用する際に補助部材３を布線治具本体２から離脱させる。【選択図】　　　図１
2004111128.tif 000002
【特許請求の範囲】
【請求項１】
二本の保持棒の間に電線を布線する布線治具において、前記二本の保持棒を有する布線治具本体の一方の該保持棒に電線脱落防止用の補助部材を延長させて着脱自在に設け、該布線治具本体を傾斜させて使用する際に下側となる該一方の保持棒からの電線の脱落を防止したことを特徴とする布線治具。
【請求項２】
前記補助部材が、内向きに湾曲又は傾斜状に屈曲した電線支持棒と、該電線支持棒を前記保持棒の先端側に固定する固定部とで構成されることを特徴とする請求項１記載の布線治具。
【請求項３】
前記固定部が、前記保持棒に対する挿入孔を有することを特徴とする請求項２記載の布線治具。
【請求項４】
前記固定部から前記電線支持棒にかけて傾斜ないし湾曲状の電線ガイド部が形成されたことを特徴とする請求項２又は３記載の布線治具。
【請求項５】
前記補助部材の電線支持棒が可撓性を有することを特徴とする請求項１〜４の何れか１項に記載の布線治具。
【請求項６】
前記補助部材が合成ゴムで形成されたことを特徴とする請求項１〜５の何れか１項に記載の布線治具。
【請求項７】
前記布線治具本体を傾斜させて使用する際に上側となる他方の保持棒に前記補助部材よりも短い他方の補助部材を着脱自在に設け、両補助部材の間から該布線治具本体内に前記電線を挿入可能としたことを特徴とする請求項１〜６の何れか１項に記載の布線治具。
【請求項８】
請求項１〜７の何れか１項に記載の布線治具を布線板に立設し、該布線板を水平に使用する際に前記補助部材を前記布線治具本体から離脱させ、該布線板を傾斜させて使用する際に該補助部材を該布線治具本体に装着することを特徴とする布線治具の使用方法。
【発明の詳細な説明】
【０００１】
【発明の属する技術分野】
本発明は、布線板上に電線を布線してワイヤハーネスを形成させるための布線治具とその使用方法に関するものである。
【０００２】
【従来の技術】
図７は、従来の布線治具を用いた布線装置の一形態を示すものである（特許文献１参照。）。
【０００３】
この布線装置４１は、長方形の幅広の基板４２と、基板４２上に立設された複数の布線治具４３と、基板４２に隣接して配置された部品棚４４と、部品棚４４上の部品ケース４５とを少なくとも備えたものである。基板４２と複数の布線治具４３とで布線板４６が構成されている。なお、特開平９−１４７６４１号においては組付誘導装置を備えているが、図７では図示を省略している。
【０００４】
布線板４６は脚部４７で傾斜状に支持されている。これは、作業者が奥行きの広い布線板４６に対して電線４８の布線作業を容易に且つ効率良く行えるようにするためである。布線板４６を傾斜させない場合には奥側の布線治具４３まで手が届かず、布線作業性が悪い。なお、奥行きの狭い布線板については傾斜状でなく水平に配置する。
【０００５】
布線とは電線４８を一本づつ各布線治具４３に沿って所要形状に配線することである。布線された複数本の電線４８には保護チューブ４９やプロテクタ等の部品が装着される。各電線４８の端末には端子（図示せず）が圧着されており、各端子はコネクタハウジング内に挿入され、コネクタハウジングと端子とでコネクタ５０が構成される。さらに、図８の如く複数本の電線４８がビニルテープ５１で集束されて、ワイヤハーネス５２が完成する。
【０００６】
図８の布線治具４３は別名、Ｕフォークとも呼ばれ、支柱５３と、支柱５３の上端に設けられたＵ字状の電線保持部５４と、支柱５３の下端に設けられた固定用の鍔部５５とを備えている。鍔部５５がボルト（図示せず）で基板（布線板）に固定される。Ｕ字状の電線保持部５４には各電線４８が挿通あるいは引っ掛けられつつ屈曲して配索される。
【０００７】
【特許文献１】
特開平９−１４７６４１号公報（第３頁、第１図）
【０００８】
【発明が解決しようとする課題】
しかしながら、上記従来の布線治具４３にあっては、図９の如く布線板４６を傾けて布線作業を行う際に、布線した電線４８が布線治具４３のＵ字状の電線保持部５４から外れ出て（脱落して）しまうことがあった。その場合には、再度電線４８を電線保持部５４内に挿入しなおす手間がかかり、電線４８の外れ出しに気づかずに布線作業を続けた場合には、その電線４８の全長が短くなって電線端末部の位置ずれを生じ、コネクタハウジングに端末の端子を挿入できなくなってしまったり、外れ出た電線部分がテープ巻き時に外側に突出してワイヤハーネス５２の形状がおかしくなってしまう（外観不良になる）といった問題を生じた。
【０００９】
本発明は、上記した点に鑑み、奥行きの広い布線板を傾斜させた状態で電線を布線する場合に、電線の脱落を確実に防止することができ、しかも奥行きの狭い布線板を水平にした状態で電線を布線することもできる布線治具とその使用方法を提供することを目的とする。
【００１０】
【課題を解決するための手段】
上記目的を達成するために、本発明の請求項１に係る布線治具は、二本の保持棒の間に電線を布線する布線治具において、前記二本の保持棒を有する布線治具本体の一方の該保持棒に電線脱落防止用の補助部材を延長させて着脱自在に設け、該布線治具本体を傾斜させて使用する際に下側となる該一方の保持棒からの電線の脱落を防止したことを特徴とする布線治具。
上記構成により、補助部材が布線治具本体の一方（片側）の保持棒よりも高く突出し、補助部材が下側になるように布線治具を傾けて使用する際に、下側の一方の保持棒から外れた電線が補助部材で受け止められて脱落なく支持される。また、例えば奥行きの狭い布線板を傾斜状ではなく水平に使用する場合は、布線治具本体から補助部材を外して布線作業が行われる。
【００１１】
請求項２に係る布線治具は、請求項１記載の布線治具において、前記補助部材が、内向きに湾曲又は傾斜状に屈曲した電線支持棒と、該電線支持棒を前記保持棒の先端側に固定する固定部とで構成されることを特徴とする。
上記構成により、電線支持棒の先端（上端）が一対の保持棒の間において上方に位置し、保持棒から外れ出た電線を湾曲状ないし傾斜状の電線支持棒で確実に受け止めて脱落を防止する。電線は電線支持棒の湾曲部ないし傾斜部に沿って電線支持棒の基部側（固定部側）に自動的に戻る。補助部材は固定部で保持棒に固定され、固定部を保持棒から離脱させることで、補助部材が着脱自在となる。
【００１２】
請求項３に係る布線治具は、請求項２記載の布線治具において、前記固定部が、前記保持棒に対する挿入孔を有することを特徴とする。
上記構成により、固定部の挿入孔を保持棒の先端部に嵌合させ（保持棒の先端部を挿入孔に圧入し）、挿入孔から保持棒の先端部を離脱させることで、布線治具本体への補助部材の着脱が容易に行われる。
【００１３】
請求項４に係る布線治具は、請求項２又は３記載の布線治具において、前記固定部から前記電線支持棒にかけて傾斜ないし湾曲状の電線ガイド部が形成されたことを特徴とする。
上記構成により、保持棒から外れて電線支持棒で支持された電線が電線ガイド部に沿って引っ掛かりなく保持棒の内側に自動的に又は作業者によってスムーズに戻される。
【００１４】
請求項５に係る布線治具は、請求項１〜４の何れか１項に記載の布線治具において、前記補助部材の電線支持棒が可撓性を有することを特徴とする。
上記構成により、二本の保持棒の内側に電線を布線する際に、電線が電線支持棒に強く接触（干渉）しても、電線支持棒が押圧方向に撓んでその力を吸収し、布線がスムーズに行われる。
【００１５】
請求項６に係る布線治具は、請求項５記載の布線治具において、前記補助部材が合成ゴムで形成されたことを特徴とする。
上記構成により、保持棒への固定部の挿入・離脱が容易に且つ確実に行われる。また、請求項５における電線支持棒の撓み性も高まる。
【００１６】
請求項７に係る布線治具は、請求項１〜６の何れか１項に記載の布線治具において、前記布線治具本体を傾斜させて使用する際に上側となる他方の保持棒に前記補助部材よりも短い他方の補助部材を着脱自在に設け、両補助部材の間から該布線治具本体内に前記電線を挿入可能としたことを特徴とする。
上記構成により、布線中の電線に外力が作用した場合等において、二本の対向する補助部材で保持棒からの電線の飛び出しが確実に阻止される。また、両補助部材の先端部に沿って二本の保持棒の内側に電線が容易に挿通される。
【００１７】
請求項８に係る布線治具の使用方法は、請求項１〜７の何れか１項に記載の布線治具を布線板に立設し、該布線板を水平に使用する際に前記補助部材を前記布線治具本体から離脱させ、該布線板を傾斜させて使用する際に該補助部材を該布線治具本体に装着することを特徴とする。
上記構成により、例えば奥行きの狭い布線板を傾斜状ではなく水平に使用する場合は、布線治具本体から補助部材を外して布線作業を行うことができる。このように布線治具の段取り替えが容易に行われる。
【００１８】
【発明の実施の形態】
以下に本発明の実施の形態を図面に基づいて詳細に説明する。
図１〜図２は、本発明に係る布線治具の一実施形態を示すものである。
【００１９】
この布線治具１は、金属製又は合成樹脂製の布線治具本体２と、布線治具本体２に着脱自在に設けられる電線脱落防止用の合成ゴム製の補助部材（脱落防止部材）３とで構成されるものである。
【００２０】
布線治具本体２は従来と同様に、布線用の基板４に立設される支柱５と、支柱５の上端に溶接やボルトで固定され、又はプレスや成形型等で一体形成された略Ｕ字状の電線保持部６と、支柱５の下端に設けられた固定用の鍔部７とで構成される。鍔部７は別体又は一体のボルト（図示せず）で基板４に固定される。
【００２１】
電線保持部６は左右一対の上向きの平行な保持棒８と底部側の連結部９とで構成されている。基板４と複数の各種形態の布線治具１とで布線板１０が構成される。なお、電線保持部６の形状はＵ字状に限らず凹字状であってもよい。また、保持棒８は二本に限らず三本であってもよい。
【００２２】
電線保持部６の片側の保持棒８に合成ゴム製の補助部材３が着脱自在に設けられている。片側の保持棒８とは図３の如く布線板１０を傾けて使用する際に下側に位置する保持棒のことである。補助部材３は、保持棒８に対する挿入孔１１（図２）を有する固定部１２と、固定部１２から上向きに延びつつ内向きに湾曲した電線支持棒１３とで構成されている。
【００２３】
固定部１２は略環状に形成され、中央の挿入孔１１の内径は保持棒８の外径よりもやや小さく設定され、挿入孔１１に保持棒８を作業者が手で圧入することで、固定部１２が保持棒８に固定される。固定部１２の外周外側から電線支持棒１３が立ち上げられている。
【００２４】
電線支持棒１３は横断面円形状に形成され、下半側の真直な部分１３ａとそれに続く上半側の湾曲状の部分１３ｂとで構成されている。真直な部分１３ａは保持棒８の少し外側において保持棒８と平行に位置している。この形態は一例であり、環状の固定部１２の上面から支持棒１３を立ち上げて、真直部分１３ａを保持棒８の側方又は前後において近接ないし接触させてもよい。保持棒８と支持棒１３との間の隙間１４は電線１５（図３）が入り込まないようにできるだけ小さいことが好ましい。
【００２５】
補助部材３はその支持棒１３で電線１５を支えるだけの剛性（強度）を有し、且つ保持部６内に電線１５を挿通（布線）する際に支持棒１３に電線１５が押接した場合に、支持棒１３が内向きに撓んでその押接力を吸収してスムーズな布線作業を可能とする。電線１５は図３において支持棒１３の湾曲方向とは反対側（基板の下がった側）から作業者によって保持部６内に布線される。
【００２６】
支持棒１３の湾曲形態は支持棒１３の先端１３ｃが保持棒８の長手方向延長線上よりも少し内側に入る程度であることが好ましい。図３の如く布線板１０を大きく傾斜させて使用する際に、支持棒１３の湾曲部１３ｂの先端１３ｃが上を向くから、電線１５が保持部６から外れた場合に、支持棒１３の湾曲部分１３ｂによって電線１５が確実に保持されて布線治具１からの外れ出し（脱落）が確実に防止される。支持棒１３で支持された電線１５は作業者によって容易に保持部６内に戻される。補助治具３の環状の固定部１２は図３において保持部６の内面に沿う電線１５を外側に飛び出さないように当接させる停止部としても作用する。
【００２７】
なお、補助部材３を合成ゴムではなく合成樹脂で形成することも可能である。この場合、支持棒１３は可撓性（撓み性）を有する。但し、固定部１２はゴム材を用いて保持棒８に容易に着脱可能とすることが好ましい。また、支持棒１３を断面円形ではなく断面ヘラ状や断面長円形等に形成することも可能である。これらは後述の他の実施形態においても同様である。
【００２８】
布線板１０を図３のような傾斜状ではなく水平に配置して使用する場合は、補助部材３を布線治具本体２から離脱させて布線治具本体２のみを布線治具として使用する。補助部材３の離脱作業は固定部１２を作業者が手で持って引き上げることで容易に行われる。図３の如く布線板１０を傾斜させる場合は、作業者が補助部材３を保持棒８に挿入して使用する。
【００２９】
図４は、補助部材１６の電線支持棒１７を湾曲ではなく屈曲させて、下半に真直部１７ａ，上半に傾斜部１７ｂを形成した形態の布線治具１８を示すものである。
【００３０】
補助部材１６の固定部１９や布線治具本体２の形状は前例と同様である。固定部１９は円形ではなく矩形状であってもよい。固定部１９の片側又は両側に補強用兼電線ガイド用のリブ（電線ガイド部）２０を一体に設けることも可能である。これらの構成は図１の実施形態にも適用可能である。
【００３１】
図３の如く布線板１０を傾けた際に、保持部６から外れた電線１５が支持棒１７の傾斜部１７ｂ（前例では湾曲部）に沿って下側（保持部６側）に移動し、保持部６への電線５の再セットが容易に行われる。リブ２０を設けた場合には、保持部６から外れた電線１５が支持棒１７からリブ２０に沿って保持部６内に自動的に戻される。
【００３２】
図５は、補助部材２１の支持棒２２を布線治具本体２の保持棒８と同一軸線上に延長させた形態の布線治具２３を示すものである。
【００３３】
補助部材２１の固定部２４は円柱状に形成され、内側に断面円形の保持棒８に対する挿入孔２５を有し、挿入孔２５の深さは補助部材２１を確実に固定できる深さに設定されている。固定部２４を保持棒８の先端部に嵌合（係合）させることで、挿入深さが自動的に規定されるから、装着が容易且つ正確に行われる。固定部２４の上端に電線ガイド用のテーパ面ないし湾曲面（電線ガイド部）２４ａを形成してもよい。
【００３４】
支持棒２２の形状は図１の実施形態と同様であり、上半部が湾曲している。図４の実施形態の如く支持棒２２を傾斜状に屈曲させてもよい。図５の補助部材２１の作用効果は図１，図４の実施形態と同様であるが、固定部２４を滑らかに支持棒２２に連続させることで、保持部６から離脱した電線が支持棒２２に沿って保持部６内に自動的にスムーズに戻される。
【００３５】
図６は、布線治具本体２の左右一対の保持棒８の各先端部に一組の補助部材２６，２７を着脱自在に装着した形態の布線治具２８を示すものである。
【００３６】
一方の（図３で下側の保持棒８に固定される）補助部材２６は長く、他方の（図３で上側の保持棒８に固定される）補助部材２７は短く形成され、両補助部材２６，２７は各電線支持部（支持棒）２９，３０に内向きの湾曲部２９ａ，３０ａないし屈曲部と、湾曲部２９ａ，３０ａに続く入口３１側の電線導入部２９ｂ，３０ｂとを有している。入口３１は狭く形成され、電線が外力によっても容易に飛び出さないようになっている。電線導入部に沿って電線を保持部６内に容易に挿入できる。固定部３４は図５の形態と同様であるが、図１，図４の形態を用いることも可能である。
【００３７】
図３の布線板１０の傾斜状態で、電線１５は一方の長い補助部材２６によって外れ出し（脱落）が防止される。布線完了後にワイヤハーネスを持ち上げることで、左右一対の支持部２９，３０が外向きに開いて（撓んで）、ワイヤハーネスを容易に取り外すことができる。
【００３８】
なお、上記各実施形態においては湾曲ないし屈曲した支持棒１３，１７，２２，２９を用いたが、布線板１０の傾斜角度が緩い場合には、真直に延長させた支持棒（図示せず）を用いることも可能である。
【００３９】
また、三本ないしそれ以上の保持棒８を有する布線治具本体を用いる場合は、図３の布線板１０の傾斜時に下側となる一本ないし二本の保持棒８、又は上側の一本を除く全ての保持棒８に補助部材を装着してもよい。
【００４０】
また、上記各実施形態においては、布線板１０を水平と傾斜状との二形態で使用できるように、補助部材３，１６，２１，２６を布線治具本体２に着脱自在に設けたが、傾斜状のみで使用する布線板に対しては、金属製又は合成樹脂製の布線治具本体２に上記各形態の補助部材３，１６，２１，２６の支持棒１３，１７，２２，２９を一体に（取外し不能に）形成することも有効である。この場合、支持棒１３，１７，２２，２９は布線治具の電線脱落防止部と呼称される。
【００４１】
また、上記した各実施形態の構成は、布線治具１，１８，２３，２８を用いた布線板の構造や布線板の使用方法としても有効である。
【００４２】
【発明の効果】
以上の如く、請求項１記載の発明によれば、補助部材が下側になるように布線治具を傾けて使用する際に、下側の一方の保持棒から外れた電線が補助部材で受け止められて支持されるから、電線の脱落が防止され、脱落に伴う電線の再セットや、電線の長さ不足によるコネクタへの端子挿入不良や、テープ巻き後のワイヤハーネスの形状不良等が防止され、布線（ワイヤハーネスの製造）工数が低減されると共にワイヤハーネスの品質が向上する。また、奥行きの狭い布線板を傾斜状ではなく水平に使用する場合に、布線治具本体から補助部材を外して布線作業を行うことができるから、布線治具を傾斜用と水平用の二種類用意しなくても済み、布線治具のコストの低減や管理の容易化が図られる。
【００４３】
請求項２記載の発明によれば、湾曲状ないし傾斜状の電線支持棒で電線を脱落なく確実に受け止めて保持棒側に戻すから、電線の脱落防止性及び再セット性が向上する。また、補助部材を固定部で保持棒に容易に着脱できるから、布線治具の組立性と分解性が向上する。
【００４４】
請求項３記載の発明によれば、固定部の挿入孔で保持棒に対する補助部材の着脱を容易に行うことができるから、布線の段取り作業性が向上し、種々の形態のワイヤハーネスの生産性が向上する。
【００４５】
請求項４記載の発明によれば、電線が電線支持棒から電線ガイド部に沿って引っ掛かりなく保持棒の内側に戻されるから、電線の再セット性が向上し、布線作業が効率良く且つ正確に行われる。
【００４６】
請求項５記載の発明によれば、布線作業時に電線が電線支持棒に強く接触しても、電線支持棒が押圧方向に撓むから、布線作業がスムーズに行われる。
【００４７】
請求項６記載の発明によれば、保持棒への固定部の挿入・離脱を容易に且つ確実に行うことができ、補助部材の装着・離脱性が向上する。また、請求項５における電線支持棒の撓み性が高まり、布線作業性が向上する。
【００４８】
請求項７記載の発明によれば、布線中の電線に外力が作用した場合等において、二本の対向する補助部材で保持棒からの電線の飛び出しが確実に阻止されるから、布線の信頼性が一層向上する。
【００４９】
請求項８記載の発明によれば、例えば奥行きの狭い布線板を傾斜状ではなく水平に使用する場合は、布線治具本体から補助部材を外して布線作業を行うことができ、布線治具の段取り替えを容易に行えて、各種ワイヤハーネスの製造工数が低減される。
【図面の簡単な説明】
【図１】本発明に係る布線治具の第一の実施形態を示す正面図である。
【図２】同じく布線治具を示す要部斜視図である。
【図３】布線治具の使用方法と作用を示す正面図である。
【図４】布線治具の第二の実施形態を示す正面図である。
【図５】布線治具の第三の実施形態を示す正面図である。
【図６】布線治具の第四の実施形態を示す正面図である。
【図７】従来の布線治具を用いた布線装置の一形態を示す斜視図である。
【図８】従来の布線治具とその使用方法を示す斜視図である。
【図９】従来の布線治具とその使用方法における問題点を示す正面図である。
【符号の説明】
１，１８，２３，２８　　布線治具
２　　　　　　　　　　　布線治具本体
３，１６，２１，２６　　補助部材
８　　　　　　　　　　　保持棒
１０　　　　　　　　　　布線板
１１，２５　　　　　　　挿入孔
１２，１９，２４，３４　固定部
１３，１７，２２　　　　電線支持棒
１５　　　　　　　　　　電線
２０　　　　　　　　　　リブ（電線ガイド部）
２４ａ　　　　　　　　　テーパ面（電線ガイド部）
２７　　　　　　　　　　他方の補助部材
【図１】
2004111128.tif 000003
【図２】
2004111128.tif 000004
【図３】
2004111128.tif 000005
【図４】
2004111128.tif 000006
【図５】
2004111128.tif 000007
【図６】
2004111128.tif 000008
【図７】
2004111128.tif 000009
【図８】
2004111128.tif 000010
【図９】
2004111128.tif 000011